(57)【特許請求の範囲】
【請求項１】
複数の太陽電池セルを備える太陽電池の評価方法であって、
前記複数の太陽電池セルの一部を帯状の遮光帯で遮光し、
前記遮光帯をスキャンしながら、当該遮光帯で遮光された前記太陽電池の全面に光を照射したときの前記太陽電池からの出力を検出し、
前記遮光帯の前記太陽電池に対する角度を変化させ、
前記角度を変化させた後、前記遮光帯をスキャンしながら、当該遮光帯で遮光された前記太陽電池の全面に光を照射したときの前記太陽電池からの出力を検出し、
検出した前記太陽電池からの出力に基づいて、前記太陽電池の変換効率分布を算出する、
太陽電池評価方法。
【請求項２】
前記遮光帯は、前記太陽電池の外周を移動する２つの走行ユニットの間に架設されており、
前記２つの走行ユニットの位置関係を変化させることにより、前記遮光帯の前記太陽電池に対する角度を変化させる
ことを特徴とする請求項１に記載の太陽電池評価方法。
【請求項３】
前記遮光帯は、
前記２つの走行ユニット間の距離の変化に合わせて伸縮する
ことを特徴とする請求項２に記載の太陽電池評価方法。
【請求項４】
前記遮光帯は、巻き取り式になっている
ことを特徴とする請求項２又は３に記載の太陽電池評価方法。
【請求項５】
前記遮光帯は、前記太陽電池に照射される光の一部を透過する遮光膜からなる請求項１〜４のいずれか１項に記載の太陽電池評価方法。
【請求項６】
前記遮光帯は、前記太陽電池に照射される光を完全に遮光する遮光膜からなり、
前記遮光帯の幅は、前記太陽電池セルの幅よりも狭いことを特徴とする請求項１〜４のいずれか１項に記載の太陽電池評価方法。
【請求項７】
前記検出した太陽電池からの出力をバックプロジェクション法の投影データとして、前記変換効率を算出することを特徴とする請求項１〜６のいずれか１項に記載の太陽電池評価方法。
【請求項８】
複数の太陽電池セルを備える太陽電池の評価システムであって、
前記複数の太陽電池セルの一部を遮光する帯状の遮光帯と、
前記遮光帯の前記太陽電池に対する角度を変化させる変化手段と、
前記遮光帯で遮光された前記太陽電池の全面に光を照射したときの前記太陽電池からの出力を検出する検出器と、
前記角度を変化させる前後において、前記検出器で検出された前記太陽電池からの出力に基づいて、前記太陽電池の変換効率分布を算出する処理部と、
を備える太陽電池評価システム。
【請求項９】
前記太陽電池の外周を移動する２つの走行ユニットを備え、
前記遮光帯は、前記２つの走行ユニットの間に架設されており、
前記複数の走行ユニットの位置関係を変化させることにより、前記遮光帯の前記太陽電池に対する角度を変化させる
ことを特徴とする請求項８に記載の太陽電池評価システム。
【請求項１０】
前記遮光帯は、
前記２つの走行ユニット間の距離の変化に合わせて伸縮する
ことを特徴とする請求項９に記載の太陽電池評価システム。
【請求項１１】
前記遮光帯は、巻き取り式になっている
ことを特徴とする請求項９又は１０に記載の太陽電池評価システム。
【請求項１２】
前記遮光帯は、前記太陽電池に照射される光の一部を透過する遮光膜からなる請求項８〜１１のいずれか１項に記載の太陽電池評価システム。
【請求項１３】
前記遮光帯は、前記太陽電池に照射される光を完全に遮光する遮光膜からなり、
前記遮光帯の幅は、前記太陽電池セルの幅よりも狭いことを特徴とする請求項８〜１１のいずれか１項に記載の太陽電池評価システム。
【請求項１４】
前記検出した太陽電池からの出力をバックプロジェクション法の投影データとして、前記変換効率を算出することを特徴とする請求項８〜１３のいずれか１項に記載の太陽電池評価システム。
【発明の詳細な説明】
【技術分野】
【０００１】
本発明は、太陽電池の評価方法及び評価システムに関する。
【背景技術】
【０００２】
太陽電池において、光エネルギーから電気エネルギーへの変換効率は最も重要な性能の一つである。太陽電池の生産規模は発電電力の総量で評価されることが多く、生産規模を向上させるためには、変換効率の高い太陽電池を実現することが不可欠である。
【０００３】
この変換効率に影響を与えるパラメータの１つとして、短絡光電流がある。これは、短絡状態に接続した太陽電池に光を照射した際に発生する電流をいう。照射された光の全てが電流に変換されることが望ましいが、実際には様々な損失の過程があり、照射された光の全てが電流に変換されるわけではない。そこで、特許文献１では、太陽電池の変換効率の波長依存性を評価する技術が提案されている。
【０００４】
太陽電池モジュールでは、一般に１枚の基板上に複数の太陽電池セルが直列に接続された構造を有する。複数個の太陽電池セルの表面に光が照射されると、照射された光は電流に変換されてそれぞれの太陽電池セルに電流が発生する。このような太陽電池モジュールでは、各太陽電池セルの特性がプロセス上の様々な要因によりばらつくことがある。複数個の太陽電池セルの変換効率に差がある場合は、最も変換効率の低い太陽電池セルに発生する電流に制限される。
【０００５】
そこで、特許文献２には、太陽電池モジュールのそれぞれの位置における変換効率の分布を測定することができる技術が提案されている。特許文献２に記載の太陽電池評価装置は、太陽電池モジュールを部分的に照射する部分照明光源を備えている。太陽電池モジュール上の部分照明の位置を走査して、部分照明位置ごとに変換効率を測定している。
【０００６】
家庭用の太陽光発電システムや太陽光発電所では、発電電力を増大させるために、複数の太陽電池セルを有する太陽電池モジュールを複数個直列に接続することにより大面積化を実現した太陽電池ユニットが用いられる。このような太陽電池ユニットは、屋根や屋上に設置される。
【０００７】
太陽電池ユニットにおいては、経時変化により変換効率が部分的に低下することがある。そこで、太陽電池ユニットを屋根等に設置した状態で、変換効率を測定することが望まれている。しかしながら、特許文献２に記載の太陽電池評価装置では、太陽電池上を部分照明で照明する必要があり、屋根等に設置した状態で変換効率を測定することは困難である。特に、屋根等の上に設置された太陽電池ユニットを評価する場合には、安全に調査することが難しい。
【先行技術文献】
【特許文献】
【０００８】
【特許文献１】特開昭６０−８３３８１号公報
【特許文献２】特開２００９−１１１２１５号公報
【発明の概要】
【発明が解決しようとする課題】
【０００９】
本発明は、上記のような事情を背景としてなされたものであり、本発明の目的は、接続される複数の太陽電池ユニットを切り離すことなく、太陽電池ユニットを屋根等に設置したままで、太陽電池ユニットの各位置の評価を正確に行うことができる太陽電池評価方法及び太陽電池評価システムを提供することである。
【課題を解決するための手段】
【００１０】
本発明の第１の態様に係る太陽電池評価方法は、複数の太陽電池セルを備える太陽電池の評価方法であって、前記複数の太陽電池セルの一部を遮光帯で遮光し、前記遮光帯を第１の方向にスキャンしながら、当該遮光帯で遮光された前記太陽電池の全面に光を照射したときの前記太陽電池からの出力を検出し、前記遮光帯の前記太陽電池に対する方向を異なる第２の方向に変化させ、前記遮光帯を前記第２の方向にスキャンしながら、当該遮光帯で遮光された前記太陽電池の全面に光を照射したときの前記太陽電池からの出力を検出し、検出した前記太陽電池からの出力に基づいて、前記太陽電池の変換効率分布を算出する。これにより、接続される太陽電池セルを切り離すことなく、変換効率の低下の二次元分布を求めることができ、太陽電池を適切に評価することが可能となる。
【００１１】
本発明の第２の態様に係る太陽電池評価方法は、上記の評価方法において、前記遮光帯は、前記太陽電池に照射される光の一部を透過する遮光膜からなる。
本発明の第３の態様に係る太陽電池評価方法は、上記の評価方法において、前記遮光帯は、前記太陽電池に照射される光を完全に遮光する遮光膜からなり、前記遮光帯の幅は、前記太陽電池セルの幅よりも狭い。このような遮光帯を用いることにより、太陽電池をより正確に評価することができる。
【００１２】
本発明の第４の態様に係る太陽電池評価方法は、上記の評価方法において、前記検出した太陽電池からの出力をバックプロジェクション法の投影データとして、前記変換効率を算出することを特徴とする。これにより、簡便に変換効率分布を算出することができ、太陽電池をより正確に評価することができる。
【００１３】
本発明の第５の態様に係る太陽電池システムは、複数の太陽電池セルを備える太陽電池の評価システムであって、前記複数の太陽電池セルの一部を遮光する遮光帯と、前記遮光帯の前記太陽電池に対する方向を変化させる変化手段と、前記遮光帯で遮光された前記太陽電池の全面に光を照射したときの前記太陽電池からの出力を検出する検出器と、前記検出器で検出された前記太陽電池からの出力に基づいて、前記太陽電池の変換効率分布を算出する処理部とを備えるものである。遮光帯により遮光された太陽電池の出力を検出することで、変換効率分布を算出することができる。これにより、接続される太陽電池セルを切り離すことなく、変換効率の低下の二次元分布を求めることができ、太陽電池を適切に評価することができる。
【００１４】
本発明の第６の態様に係る太陽電池システムは、上記のシステムにおいて、前記遮光帯は、前記太陽電池に照射される光の一部を透過する遮光膜からなるものである。
本発明の第７の態様に係る太陽電池システムは、上記のシステムにおいて、前記遮光帯は、前記太陽電池に照射される光を完全に遮光する遮光膜からなり、前記遮光帯の幅は、前記太陽電池セルの幅よりも狭いものである。このような遮光帯を用いることにより、太陽電池をより正確に評価することができる。
【００１５】
本発明の第８の態様にかかる太陽電池システムは、上記のシステムにおいて、前記検出した太陽電池からの出力をバックプロジェクション法の投影データとして、前記変換効率を算出することを特徴とするものである。これにより、簡便に変換効率分布を算出することができ、太陽電池をより正確に評価することができる。
【発明の効果】
【００１６】
本発明によれば、接続される太陽電池セルを切り離すことなく、太陽電池を適切に評価することができる太陽電池評価方法及び太陽電池評価システムを提供することができる。
【図面の簡単な説明】
【００１７】
【図１】実施の形態に係る太陽電池評価システムの構成の一部を示す図である。
【図２】実施の形態に係る太陽電池評価システムを屋根上に設置した状態を示す図である。
【図３】実施の形態に係る太陽電池システムにおいて用いられる検出器の構成を示す図である。
【図４】太陽電池ユニットの光量低下分布の一例と、太陽電池ユニット上の遮光帯の位置関係を示す図である。
【発明を実施するための形態】
【００１８】
本発明の実施例ついて以下に図面を参照して説明する。以下の説明は、本発明の好適な実施例を示すものであって、本発明の範囲が以下の実施例に限定されるものではない。以下の説明において、同一の符号が付されたものを実質的に同様の内容を示している。
【００１９】
本実施の形態に係る太陽電池評価システムの構成について、図面を参照して説明する。図１は、本実施の形態に係る太陽電池評価システム１０の構成の一部を示す図である。図１に示すように、太陽電池評価システム１０は、レール１１、走行ユニット１２、遮光帯１３を備えている。本発明に係る太陽電池評価システム１０は、太陽電池ユニット２０を評価対象としている。
【００２０】
ここで、太陽電池ユニット２０の構成について説明する。太陽電池ユニット２０は、直列に接続された複数の太陽電池モジュール２１を有している。図１に示す例では、９個の太陽電池モジュール２１が行列状に配置されている。それぞれの太陽電池モジュール２１は、直列に接続された複数の太陽電池セル２２を備えている。図１に示す例では、６×４個の太陽電池セル２２が行列状に配置されている。従って、太陽電池ユニット２０に設けられる全ての太陽電池セル２２は直列に接続されている。
【００２１】
この太陽電池ユニット２０は、例えば、屋根の上等に設置される。太陽電池評価システム１０は、直列に接続された太陽電池セル２２を切り離すことなく、屋根の上等に設置した状態で、太陽電池ユニット２０の評価を行うものである。太陽電池評価システム１０では、太陽電池ユニット２０に照射される光の一部を遮光帯１３で遮り、その遮光帯１３により形成される影によって出力の低下を測定する。そして、遮光帯１３をスキャンすることによって、低下した太陽電池からの出力をバックプロジェクション法の投影データとして、変換効率分布を算出する。
【００２２】
レール１１は、太陽電池ユニット２０の周囲を囲むように配置される。レール１１は、例えば、複数のレール部品をつなぎ合わせて、所望の長さにすることができる組立式のものを用いることができる。これにより、太陽電池ユニット２０の大きさに関わらず、適切な長さのレールを設置することができる。なお、図１に示す例ではレール１１が矩形状に配置されているが、これに限定されない。太陽電池ユニット２０の形状に合わせて、レール１１の形状を変化させることができる。
【００２３】
走行ユニット１２は、レール１１上を移動する移動体である。本例では、２つの走行ユニット１２が設けられている。なお、走行ユニット１２としては、充電電池等を電源として移動する自走式のものを用いることが好ましい。これにより、走行ユニット１２は、レール１１の全周を簡便に移動することができる。また、ここでは図示しないが、走行ユニット１２は、レール１１上の走行ユニット１２の位置を制御する後述する処理部１７と無線通信を行うためのアンテナや、現在位置を測定するエンコーダ等を有している。
【００２４】
２つの走行ユニット１２の間には、遮光帯１３が架設されている。遮光帯１３は、太陽電池セル２２のそれぞれの少なくとも一部を遮光するものである。図１に示すように、遮光帯１３は細い帯状であり、太陽電池ユニット２０上に帯状の影を形成する。
【００２５】
遮光帯１３としては、例えば、太陽電池セル２２に照射される光の一部を透過させる半透過膜を用いることができる。遮光帯１３として半透過膜を用いる場合、遮光帯１３の幅は、１つの太陽電池セル２２を全て覆うような幅としてもよく、太陽電池セル２２の幅よりも狭くても良い。また、半透過膜の透過率は、太陽電池セル２２に照射される光の光量等により適宜変更することが可能である。半透過膜の透過率は、例えば５０％とすることができる。
【００２６】
また、遮光帯１３として、太陽電池セル２２に照射される光を完全に遮光するものを用いることも可能である。遮光帯１３として完全に遮光する遮光膜を用いる場合、遮光帯１３の幅は、１つの太陽電池セル２２を全て覆うような幅とすることはできない。上述したように、太陽電池セル２２は直列に接続されているため、いずれかの太陽電池セル２２が完全に遮光されてしまうと、太陽電池からの出力が得られないからである。
【００２７】
この場合、遮光帯１３の幅は、１つの太陽電池セル２２の幅よりも狭い。例えば、１つの太陽電池セル２２の面積の２割程度を遮光するような幅とすることができる。もちろん、遮光帯１３の幅はこの例に限定されず、適宜変更することが可能である。遮光帯１３の幅は、例えば、１０ｍｍとすることができる。もちろん、遮光帯１３の幅は特に限定されるものではなく、太陽電池セル２２の幅や必要な分解能などに応じて決定すればよい。
【００２８】
遮光帯１３は、巻き取り式になっており、伸縮自在となっている。２つの走行ユニット１２間の距離が離れるにつれて遮光帯１３の長さが長くなり、２つの走行ユニット１２間の距離が短くなるにつれて遮光帯１３の長さが短くなる。すなわち、遮光帯１３は、２つの走行ユニット１２がレール１１上のいずれの位置に移動しても、これらの間に弛みなく張られた状態で配置される。
【００２９】
走行ユニット１２がレール１１上を所定のスピードで移動することにより、遮光帯１３により太陽電池ユニット２０上をスキャンすることができる。また、２つの走行ユニット１２のそれぞれ速度を変化させることにより、遮光帯１３の太陽電池ユニット２０に対する方向を変化させることができる。すなわち、遮光帯１３により形成される直線状の影で、太陽電池ユニット２０上の任意の位置を、任意の角度でスキャンすることができる。なお、この走行ユニット１２の位置及びレール１１上を移動する速度は、後述の処理部１７により制御される。
【００３０】
図２に、太陽電池評価システム１０及び太陽電池ユニット２０を屋根の上に設置した状態を示す。太陽電池評価システム１０の一部であるレール１１、走行ユニット１２、遮光帯１３は軽量に作られており、図２に示すように、リフト１４により屋根の上に安全に持ち上げられる。このように、本発明の太陽電池評価システム１０は、太陽電池ユニット２０を屋根の上に設置したままで、その評価を行うことができる。
【００３１】
なお、本実施の形態では、太陽電池ユニット２０の全面に光を照射する光源として太陽光を利用する。このため、ソーラーシミュレータ等の大きな光源を必要としない。しかしながら、光源として太陽光と同様のスペクトルの光を出射するソーラーシミュレータ等を用いても構わない。
【００３２】
本実施の形態では、太陽電池ユニット２０において全ての太陽電池セル２２が直列に接続されている。遮光帯１３により部分的に影を作ると、太陽電池ユニット２０から取り出される電流値は最大影が形成される太陽電池セル２２で制限されてしまう。このため、単に、太陽電池ユニット２０から取り出される出力を単に電流・電圧変換すると、最大影が形成された太陽電池セル２２からの電流を読み出しているに過ぎず、コンピュータトモグラフ（ＣＴ）により変換効率の低下の二次元分布を得ることができない。
【００３３】
そこで、本発明では、遮光帯１３により形成される直線状の影に沿って線積分された発電能力のダウンを読み出すために、以下のような構成の検出器を用いる。図３に、本実施の形態に係る太陽電池評価システム１０の検出器の構成の一例を示す。図３に示すように、検出器は、電流検出ユニット１５、電圧検出ユニット１６、負荷抵抗１〜４を備えている。太陽電池評価システム１０において太陽電池ユニット２０の評価を行う場合には、単なる電流・電圧変換ではなく、電流と電圧の積である電力を読み出す。
【００３４】
太陽電池ユニット２０の出力ラインには、電流検出ユニット１５が接続されている。電流検出ユニット１５は、電流検出素子であり、太陽電池ユニット２０からの出力電流を検出する。電流検出ユニット１５による検出値から、遮光帯１３により形成される影による出力電流の低下がわかる。そして、電流検出ユニット１５からの出力電流はデジタル信号に変換されて、処理部１７に入力される。なお、処理部１７が電流検出ユニット１５からの検出信号をデジタル信号に変換してもよい。
【００３５】
また、太陽電池ユニット２０の出力ラインには、切替スイッチ１８の一端が接続されている。切替スイッチ１８は、短絡（接地）、負荷抵抗１〜４、開放のいずれかに切替接続する。電圧検出ユニット１６は、切替スイッチ１８により負荷条件の切替を行いながら、接続された負荷抵抗等にかかる電圧を検出する。電圧検出ユニット１６により検出された電圧は、デジタル信号に変換された処理部１７に入力される。
【００３６】
処理部１７は、パーソナルコンピュータなどの情報処理装置であり、検出信号に対して所定の演算処理を行う。処理部１７は、例えば、演算処理部であるＣＰＵ（Central Processing Unit）、記憶領域であるＲＯＭ（Read Only Memory）やＲＡＭ（Random Access Memory）、通信用のインターフェースなどを有し、変換効率分布を算出するために必要な処理を実行する。
【００３７】
例えば、ＲＯＭには、演算処理するための演算処理プログラムや、各種の設定データ等が記憶されている。そして、ＣＰＵは、このＲＯＭに記憶されている演算処理プログラムを読み出し、ＲＡＭに展開する。そして、設定データや、電流検出ユニット１５、電圧検出ユニット１６等からの出力に応じてプログラムを実行する。さらに、処理部１７は、演算処理結果を表示させるためのモニター等を有している。
【００３８】
また、処理部１７は、走行ユニット１２の駆動を制御している。すなわち、処理部１７は、遮光帯１３の太陽電池ユニット２０に対する角度、スキャンする方向を制御する。従って、処理部１７は、太陽電池ユニット２０に対する遮光帯１３による影の位置を認識している。このため、処理部１７は、ライン状の光が太陽電池ユニット２０のどの位置に入射したときに、どの程度の出力があるかを認識することできる。
【００３９】
不良がなく変換効率が比較的高い箇所に遮光帯１３による影ができた場合と、不良があり変換効率が比較的低い箇所に遮光帯１３が存在している場合とでは、太陽電池ユニット２０からの出力の低下量が変化する。不良がない箇所では、不良がある箇所よりも出力の低下が大きい。従って、遮光帯１３の位置と、太陽電池ユニット２０出力の低下をモニターすることにより、不良箇所を特定することができる。
【００４０】
電流検出ユニット１５、電圧検出ユニット１６は、遮光帯１３を一方向にスキャンしているときの太陽電池ユニット２０からの出力を随時検出する。これにより、太陽電池ユニット２０の異なる位置での出力の低下を測定することができる。
【００４１】
また、走行ユニット１２の制御により遮光帯１３のスキャン方向を所定の角度だけ変化させ、当該方向にスキャンしたときの太陽電池ユニット２０からの出力を随時検出する。これを繰り返して、様々な角度から遮光帯１３をスキャンして、これらの検出結果を処理部１７に記憶させる。すなわち、太陽電池ユニット２０に対する遮光帯１３による影の角度を変えて２以上の方向とし、２以上の方向に影を形成した時の投影データを収集する。つまり、遮光帯１３による影に沿って線積分された発電能力の低下を読み出すことができる。
【００４２】
処理部１７は、記憶された検出データを用いて、太陽電池１２の変換効率の低下の空間分布を算出する。例えば、コンピュータ断層撮影（ＣＴ：Computed Tomography）により、二次元に広がる変換効率分布の低下の二次元画像を得ることができる。すなわち、１次元の検出データを２次元の変換効率分布に変換して、画像化することができる。
【００４３】
すなわち、処理部１７は、太陽電池ユニット２０に対する遮光帯１３の方向を変化させてスキャンしたときの電流検出ユニット１５及び電圧検出ユニット１６により検出した検出結果に基づいて、太陽電池ユニット２０の変換効率の低下の二次元分布を算出する。これにより得られる二次元分布のうち、周辺よりも変換効率が高い部分が不良部分と評価することができる。
【００４４】
例えば、太陽電池ユニット２０の変換効率分布をＥ（ｘ，ｙ）とすると、遮光帯１３の幅が十分に小さいとき、影部分で発生する出力の低下は以下の式（１）に示すようになる。
0005470542.tif 000002
【００４５】
ここで、Ｉ（ｘ，ｙ）は、遮光帯１３により形成される影部分の光量低下分布である。遮光帯１３により形成される影部分の光量分布が一定である場合、Ｉ（ｘ，ｙ）＝Ｃで一定とすることができる。また、ｄｓは、遮光帯１３に沿った微小長さである。遮光帯１３に沿った線積分が出力の低下に対応する。
【００４６】
遮光帯１３に沿った積分値をコンピュータのメモリ上に展開（バックプロジェクション）して、点像分布関数（ＰＳＦ：Point Spread Function）の逆変換をかければ、二次元に広がる変換効率分布を得ることができる。例えば、フィルタードバックプロジェクション（ＦＢＰ）法を用いることができる。
【００４７】
この時、Ｘ線ＣＴにおけるＸ線の透過強度が、検出器の出力に対応する。すなわち、Ｘ線ＣＴにおける測定対象の線吸収係数が帯状の影による出力の低下に相当する。遮光帯１３の影１ライン分の電力の積算値が投影データとなる。Ｘ線ＣＴにおける吸収係数の２次元空間分布が変換効率の低下の二次元空間分布に対応する。
【００４８】
このように、Ｘ線ＣＴにおいて投影データから断層画像を得る処理と同様の処理を太陽電池ユニット２０の出力の検出データに対して行うことで、変換効率の低下の空間分布を算出することができる。すなわち、コリメートされたＸ線を照射するＸ線ＣＴと同じ処理によって、変換効率の低下の二次元分布を算出することができる。なお、太陽電池評価システム１０には、必要に応じてリニアエンコーダを取り付けてもよい。これにより、太陽電池ユニット２０上の照射位置をより正確に把握することができる。
【００４９】
上記の例では、遮光帯１３による影に沿って線積分された発電能力の低下を読み出すこととしたがこれに限定されるものではない。例えば、遮光帯１３の幅が広い場合には、遮光帯１３の幅方向の関数を用いて、変換効率の低下の二次元分布を算出するようにしてもよい。
図４に、太陽電池ユニット２０の光量低下分布の一例と、太陽電池ユニット２０上の遮光帯１３による影の位置関係を示す。図４に示すように、太陽電池ユニット２０の変換効率分布をＥ（ｘ，ｙ）とし、遮光帯１３の影部分の幅方向をｕ、長さ方向をｖとし、その光量低下分布をＩ（ｕ，ｖ）とする。遮光帯１３の影部分で発生する出力の低下は以下の式（２）に示すようになる。
0005470542.tif 000003
この場合、処理部１７に遮光帯１３の光量分布の関数を記憶させ、変換効率の低下の二次元分布を得ることができる。
【００５０】
このように、本発明では、太陽電池ユニット２０を屋根の上や太陽光発電所等に設置した状態で、安全に太陽電池ユニット２０の評価を行うことができる。また、直列に接続された太陽電池セル２２であっても、上記のように遮光帯１３で形成される帯状の影のスキャン方向を変化させながら、太陽電池ユニット２０からの出力を検出して所定の演算処理を行うことにより、変換効率の低下の二次元分布を求めることができる。
【００５１】
ＣＴで効率分布を測定する機能は測定結果の位置精度が高い。このため、ＣＴを用いて得られた結果を用いて、直列接続の太陽電池セル２２を切り離すことなく、太陽電池ユニット２０不良モジュール及び不良箇所を正確に特定することができる。部分的に発電効率が低下している不良箇所が特定された場合には、当該不良箇所を含む太陽電池モジュール２１のみを交換することにより、安価に太陽電池ユニット２０全体の変換効率を向上させることが可能となる。
【００５２】
本実施の形態に示すように、帯状の影を走査することで、短時間で測定を行うことができる。なお、上記の説明では、一方向にスキャンされる際に、太陽電池ユニット２０からの出力を測定したが、双方向にスキャンされる際に太陽電池ユニット２０からの出力を測定してもよい。
【００５３】
また、太陽電池ユニット２０は、ｋｗ級の出力を有している。従って、連続して図３に示すような負荷抵抗を接続すると過熱して、発火のおそれがある。従って、例えば、読み出しサイクルが１０ｍｓｅｃの場合、１００μｓｅｃだけ負荷１〜４のいずれかに接続する。また、放熱器を設けたり、水冷を行って、過熱を防いでもよい。本発明は上記実施の形態に限られたものではなく、趣旨を逸脱しない範囲で適宜変更することが可能である。
【符号の説明】
【００５４】
１０  太陽電池評価システム
１１  レール
１２  走行ユニット
１３  遮光帯
１４  リフト
１５  電流検出ユニット
１６  電圧検出ユニット
１７  処理部
１８  切替スイッチ
２０  太陽電池ユニット
２１  太陽電池モジュール
２２  太陽電池セル
【図１】
0005470542.tif 000004
【図２】
0005470542.tif 000005
【図３】
0005470542.tif 000006
【図４】
0005470542.tif 000007